(57)【要約】      （修正有）【課題】ワイヤレス通信のためのシステム、方法およびデバイスを提供する。【解決手段】ワイヤレス通信の方法は、通信媒体を予約するための第１のメッセージが複数のワイヤレスデバイスの少なくとも第１のサブセットによって復号可能であるように、第１の送信特性を利用して第１のメッセージを送信する。通信媒体の予約をクリアするための第２のメッセージが、複数のワイヤレスデバイスの少なくとも第２のサブセットによって復号可能であり、複数のワイヤレスデバイスの第１のサブセットによって復号可能でないように、第２の送信特性を利用して第２のメッセージをその後、送信する。それによって複数のワイヤレスデバイスの第２のサブセットのために少なくとも１つの通信チャネルへのアクセスをクリアすることをさらに含む。【選択図】図７
2016184939.tif 000002
【特許請求の範囲】
【請求項１】
通信媒体を予約するための第１のメッセージが複数のワイヤレスデバイスの少なくとも第１のサブセットによって復号可能であるように、第１の送信特性を利用して前記第１のメッセージを送信することと、
前記通信媒体の予約をクリアするための第２のメッセージが、前記複数のワイヤレスデバイスの少なくとも第２のサブセットによって復号可能であり、前記複数のワイヤレスデバイスの前記第１のサブセットによって復号可能でないように、第２の送信特性を利用して前記第２のメッセージをその後、送信し、それによって前記複数のワイヤレスデバイスの前記第２のサブセットのために少なくとも１つの通信チャネルへのアクセスをクリアすることと
を備える、ワイヤレス通信の方法。
【請求項２】
前記通信媒体の予約をクリアするための少なくとも１つの追加のメッセージを送信し、前記通信媒体の予約をクリアするための前記少なくとも１つの追加のメッセージの各々が、前記複数のワイヤレスデバイスの異なるサブセットによって復号可能であり、前記複数のワイヤレスデバイスの前記第１のサブセットによって復号可能でないように、各々は異なる送信特性をそれぞれが利用し、それによって前記複数のワイヤレスデバイスの前記異なるサブセットの各々のために前記少なくとも１つの通信チャネルへのアクセスを連続的にクリアすることをさらに備え、ここにおいて、前記複数のワイヤレスデバイスの前記異なるサブセットの各々が、前記第１のメッセージを復号することが可能である、請求項１に記載の方法。
【請求項３】
前記第１のメッセージが持続時間を有し、前記第２のメッセージが前記持続時間内に送信される、請求項１に記載の方法。
【請求項４】
前記少なくとも１つの通信チャネル上での総通信時間の所定の割合が前記複数のワイヤレスデバイスの前記第２のサブセットのために予約されるように、持続時間を設定することをさらに備える、請求項１に記載の方法。
【請求項５】
周期的間隔に従って、前記第１のメッセージを前記送信することと、前記第２のメッセージを前記その後送信することとを繰り返すことをさらに備える、請求項１に記載の方法。
【請求項６】
前記第１の送信特性が、第１の送信周波数と、第１の物理レイヤモードと、第１の変調コーディング方式と、同時データストリームの第１の数と、第１のデータレートとのうちの少なくとも１つを備える、請求項１に記載の方法。
【請求項７】
前記第２の送信特性が、第２の物理レイヤモードと、第２の変調コーディング方式と、同時データストリームの第２の数と、第２のデータレートとのうちの少なくとも１つである、請求項１に記載の方法。
【請求項８】
前記第１のメッセージが送信可メッセージを備える、請求項１に記載の方法。
【請求項９】
前記第２のメッセージがコンテンションフリー終了メッセージを備える、請求項１に記載の方法。
【請求項１０】
前記通信媒体の予約をクリアするための前記少なくとも１つの追加のメッセージがコンテンションフリー終了メッセージを備える、請求項２に記載の方法。
【請求項１１】
前記複数のワイヤレスデバイスの前記第１のサブセットが、前記複数のワイヤレスデバイスの前記第２のサブセットから相互排他的でない、請求項１に記載の方法。
【請求項１２】
第１の送信特性を有する通信媒体を予約するための第１のメッセージが複数のワイヤレスデバイスの少なくとも第１のサブセットによって復号可能であるように、前記第１のメッセージを生成するように構成されたプロセッサと、前記プロセッサは、第２の送信特性を有する前記通信媒体の予約をクリアするための第２のメッセージが、前記複数のワイヤレスデバイスの少なくとも第２のサブセットによって復号可能であり、前記複数のワイヤレスデバイスの前記第１のサブセットによって復号可能でないように、前記第２のメッセージを生成するようにさらに構成される、
前記第１のメッセージを送信するように構成された送信機と、前記送信機が、前記第２のメッセージをその後送信し、それによって前記複数のワイヤレスデバイスの前記第２のサブセットのために少なくとも１つの通信チャネルへのアクセスをクリアするようにさらに構成される、
を備える、ワイヤレス通信のためのデバイス。
【請求項１３】
前記プロセッサは、前記通信媒体の予約をクリアするための少なくとも１つの追加のメッセージを生成し、前記通信媒体の予約をクリアするための前記少なくとも１つの追加のメッセージの各々が、前記複数のワイヤレスデバイスの異なるサブセットによって復号可能であり、前記複数のワイヤレスデバイスの前記第１のサブセットによって復号可能でないように、各々は異なる送信特性を利用する、ようにさらに構成され、
前記送信機が、前記通信媒体の予約をクリアするための前記少なくとも１つの追加のメッセージを送信し、それによって前記複数のワイヤレスデバイスの前記異なるサブセットの各々のために前記少なくとも１つの通信チャネルへのアクセスを連続的にクリアするようにさらに構成され、ここにおいて、前記複数のワイヤレスデバイスの前記異なるサブセットの各々が、前記第１のメッセージを復号することが可能である、
請求項１２に記載のデバイス。
【請求項１４】
前記第１のメッセージが持続時間を有し、前記送信機が、前記持続時間内に前記第２のメッセージを送信するようにさらに構成された、請求項１２に記載のデバイス。
【請求項１５】
前記プロセッサは、前記少なくとも１つの通信チャネル上での総通信時間の所定の割合が前記複数のワイヤレスデバイスの前記第２のサブセットのために予約されるように、前記持続時間を設定するようにさらに構成された、請求項１４に記載のデバイス。
【請求項１６】
前記送信機が、周期的間隔に従って、前記第１のメッセージを前記送信することと、前記第２のメッセージを前記その後送信することとを繰り返すようにさらに構成された、請求項１２に記載のデバイス。
【請求項１７】
前記第１の送信特性が、第１の送信周波数と、第１の物理レイヤモードと、第１の変調コーディング方式と、同時データストリームの第１の数と、第１のデータレートとのうちの少なくとも１つを備える、請求項１２に記載のデバイス。
【請求項１８】
前記第２の送信特性が、第２の物理レイヤモードと、第２の変調コーディング方式と、同時データストリームの第２の数と、第２のデータレートとのうちの少なくとも１つを備える、請求項１２に記載のデバイス。
【請求項１９】
前記第１のメッセージが送信可メッセージを備える、請求項１２に記載のデバイス。
【請求項２０】
前記第２のメッセージがコンテンションフリー終了メッセージを備える、請求項１２に記載のデバイス。
【請求項２１】
前記通信媒体の予約をクリアするための前記少なくとも１つの追加のメッセージがコンテンションフリー終了メッセージを備える、請求項１３に記載のデバイス。
【請求項２２】
前記複数のワイヤレスデバイスの前記第１のサブセットが、前記複数のワイヤレスデバイスの前記第２のサブセットから相互排他的でない、請求項１２に記載のデバイス。
【請求項２３】
第１の送信特性を有する通信媒体を予約するための第１のメッセージが複数のワイヤレスデバイスの少なくとも第１のサブセットによって復号可能であるように、前記第１のメッセージを生成するための手段と、
第２の送信特性を有する前記通信媒体の予約をクリアするための第２のメッセージが、前記複数のワイヤレスデバイスの少なくとも第２のサブセットによって復号可能であり、前記複数のワイヤレスデバイスの前記第１のサブセットによって復号可能でないように、前記第２のメッセージを生成するための手段と、
前記第１のメッセージを送信するための手段と、
前記第２のメッセージをその後、送信し、それによって前記複数のワイヤレスデバイスの前記第２のサブセットのために少なくとも１つの通信チャネルへのアクセスをクリアするための手段と
を備える、ワイヤレス通信のためのデバイス。
【請求項２４】
前記通信媒体の予約をクリアするための少なくとも１つの追加のメッセージを生成するための手段と、前記少なくとも１つの追加のメッセージの各々が、前記複数のワイヤレスデバイスの異なるサブセットによって復号可能であり、前記複数のワイヤレスデバイスの前記第１のサブセットによって復号可能でないように、各々は異なる送信特性を利用する、
前記通信媒体の予約をクリアするための前記少なくとも１つの追加のメッセージを送信し、それによって前記複数のワイヤレスデバイスの前記異なるサブセットの各々のために前記少なくとも１つの通信チャネルへのアクセスを連続的にクリアするための手段と、ここにおいて、前記複数のワイヤレスデバイスの前記異なるサブセットの各々が、前記第１のメッセージを復号することが可能である、
を備える、請求項２３に記載のデバイス。
【請求項２５】
前記第１のメッセージが持続時間を有し、前記第２のメッセージが前記持続時間内に送信される、請求項２３に記載のデバイス。
【請求項２６】
前記第１のメッセージを生成するための前記手段は、前記少なくとも１つの通信チャネル上での総通信時間の所定の割合が前記複数のワイヤレスデバイスの前記第２のサブセットのために予約されるように、前記持続時間を設定する、請求項２５に記載のデバイス。
【請求項２７】
前記第１のメッセージを前記送信することと、前記第２のメッセージを前記その後送信することとが周期的間隔に従って繰り返される、請求項２３に記載のデバイス。
【請求項２８】
前記第１の送信特性が、第１の送信周波数と、第１の物理レイヤモードと、第１の変調コーディング方式と、同時データストリームの第１の数と、第１のデータレートとのうちの少なくとも１つを備える、請求項２３に記載のデバイス。
【請求項２９】
前記第２の送信特性が、第２の物理レイヤモードと、第２の変調コーディング方式と、同時データストリームの第２の数と、第２のデータレートとのうちの少なくとも１つを備える、請求項２３に記載のデバイス。
【請求項３０】
前記第１のメッセージが送信可メッセージを備える、請求項２３に記載のデバイス。
【請求項３１】
前記第２のメッセージがコンテンションフリー終了メッセージを備える、請求項２３に記載のデバイス。
【請求項３２】
前記通信媒体の予約をクリアするための前記少なくとも１つの追加のメッセージがコンテンションフリー終了メッセージを備える、請求項２４に記載のデバイス。
【請求項３３】
前記複数のワイヤレスデバイスの前記第１のサブセットが、前記複数のワイヤレスデバイスの前記第２のサブセットから相互排他的でない、請求項２３に記載のデバイス。
【請求項３４】
実行されたとき、
通信媒体を予約するための第１のメッセージが複数のワイヤレスデバイスの少なくとも第１のサブセットによって復号可能であるように、第１の送信特性を利用して前記第１のメッセージを送信することと、
前記通信媒体の予約をクリアするための第２のメッセージが、前記複数のワイヤレスデバイスの少なくとも第２のサブセットによって復号可能であり、前記複数のワイヤレスデバイスの前記第１のサブセットによって復号可能でないように、第２の送信特性を利用して前記第２のメッセージをその後、送信し、それによって前記複数のワイヤレスデバイスの前記第２のサブセットのために少なくとも１つの通信チャネルへのアクセスをクリアすることと
を装置に行わせるコードを備える非一時的コンピュータ可読媒体。
【請求項３５】
実行されたとき、前記通信媒体の予約をクリアするための少なくとも１つの追加のメッセージを送信し、前記通信媒体の予約をクリアするための前記少なくとも１つの追加のメッセージの各々が、前記複数のワイヤレスデバイスの異なるサブセットによって復号可能であり、前記複数のワイヤレスデバイスの前記第１のサブセットによって復号可能でないように、各々は異なる送信特性を利用し、それによって前記複数のワイヤレスデバイスの前記異なるサブセットの各々のために前記少なくとも１つの通信チャネルへのアクセスを連続的にクリアすることを前記装置に行わせるコードをさらに備え、ここにおいて、前記複数のワイヤレスデバイスの前記異なるサブセットの各々が、前記第１のメッセージを復号することが可能である、請求項３４に記載の非一時的コンピュータ可読媒体。
【請求項３６】
前記第１のメッセージが持続時間を有し、前記第２のメッセージが前記持続時間の間に送信される、請求項３４に記載の非一時的コンピュータ可読媒体。
【請求項３７】
実行されたとき、前記少なくとも１つの通信チャネル上での総通信時間の所定の割合が前記複数のワイヤレスデバイスの前記第２のサブセットのために予約されるように、持続時間を設定することを前記装置に行わせるコードをさらに備える、請求項３５に記載の非一時的コンピュータ可読媒体。
【請求項３８】
実行されたとき、周期的間隔に従って、前記第１のメッセージを前記送信することと、前記第２のメッセージを前記その後送信することとを繰り返すことを前記装置に行わせるコードをさらに備える、請求項３４に記載の非一時的コンピュータ可読媒体。
【請求項３９】
前記第１の送信特性が、第１の送信周波数と、第１の物理レイヤモードと、第１の変調コーディング方式と、同時データストリームの第１の数と、第１のデータレートとのうちの少なくとも１つを備える、請求項３４に記載の非一時的コンピュータ可読媒体。
【請求項４０】
前記第２の送信特性が、第２の物理レイヤモードと、第２の変調コーディング方式と、同時データストリームの第２の数と、第２のデータレートとのうちの少なくとも１つを備える、請求項３４に記載の非一時的コンピュータ可読媒体。
【請求項４１】
前記第１のメッセージが送信可メッセージを備える、請求項３４に記載の非一時的コンピュータ可読媒体。
【請求項４２】
前記第２のメッセージがコンテンションフリー終了メッセージを備える、請求項３４に記載の非一時的コンピュータ可読媒体。
【請求項４３】
前記通信媒体の予約をクリアするための前記少なくとも１つの追加のメッセージがコンテンションフリー終了メッセージを備える、請求項３５に記載の非一時的コンピュータ可読媒体。
【請求項４４】
前記複数のワイヤレスデバイスの前記第１のサブセットが、前記複数のワイヤレスデバイスの前記第２のサブセットから相互排他的でない、請求項３４に記載の方法。
【発明の詳細な説明】
【技術分野】
【０００１】
[0001]本出願は、一般にワイヤレス通信に関し、より詳細には、ワイヤレスネットワークにおける通信を選択的にブロックする（blocking）ためのシステム、方法、およびデバイスに関する。
【背景技術】
【０００２】
[0002]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、ネットワーク要素がモバイルであり、したがって動的接続性の必要があるとき、またはネットワークアーキテクチャが固定トポロジーではなくアドホックトポロジーで形成されている場合にしばしば選好される。ワイヤレスネットワークは、無線、マイクロ波、赤外線、光などの周波数帯域中の電磁波を使用する非誘導伝搬モード（an unguided propagation mode）では、無形物理媒体（intangible physical media）を採用する。ワイヤレスネットワークは、有利には、固定ワイヤードネットワークと比較して、ユーザモビリティと迅速なフィールド展開とを容易にする。
【０００４】
[0004]ワイヤレスネットワーク中のデバイスは、互いの間で情報を送信／受信し得る。デバイスは、異なるデータレートにおいて通信し得る。多くのデバイスが通信ネットワークを共有し、デバイスネットワークの通信レートの間に大きい差がある場合、輻輳および非効率的なリンク使用が生じ得る。したがって、高効率ワイヤレスネットワークにおける通信効率を改善するためのシステム、方法、および非一時的コンピュータ可読媒体が必要とされる。
【発明の概要】
【０００５】
[0005]本発明のシステム、方法、およびデバイスは、それぞれいくつかの態様を有し、それらのうちの単一の態様が単独で本発明の望ましい属性を担当するとは限らない。次に、以下の特許請求の範囲によって表される本発明の範囲を限定することなしに、いくつかの特徴について手短に説明する。この説明を考察すれば、特に「詳細な説明」と題するセクションを読めば、本発明の特徴が、制御フレームのサイズを減少させることを含む利点をどのように提供するかが理解されよう。
【０００６】
[0006]本開示の一態様は、ワイヤレス通信の方法を提供する。本方法は、通信媒体を予約するための第１のメッセージが複数のワイヤレスデバイスの少なくとも第１のサブセットによって復号可能であるように、第１の送信特性を利用して第１のメッセージを送信することを備える。本方法は、通信媒体の予約をクリアする（clear）ための第２のメッセージが、複数のワイヤレスデバイスの少なくとも第２のサブセットによって復号可能であり、複数のワイヤレスデバイスの第１のサブセットによって復号可能でないように、第２の送信特性を利用して第２のメッセージをその後、送信し、それによって複数のワイヤレスデバイスの第２のサブセットのために少なくとも１つの通信チャネルへのアクセスをクリアすることを備える。
【０００７】
[0007]本開示の別の態様は、ワイヤレス通信のためのデバイスを提供する。本デバイスは、第１の送信特性を有する通信媒体を予約するための第１のメッセージが複数のワイヤレスデバイスの少なくとも第１のサブセットによって復号可能であるように、第１のメッセージを生成するように構成されたプロセッサを備え、上記プロセッサは、第２の送信特性を有する通信媒体の予約をクリアするための第２のメッセージが、複数のワイヤレスデバイスの少なくとも第２のサブセットによって復号可能であり、複数のワイヤレスデバイスの第１のサブセットによって復号可能でないように、第２のメッセージを生成するようにさらに構成される。本デバイスは、第１のメッセージを送信するように構成された送信機を備え、上記送信機が、第２のメッセージをその後送信し、それによって複数のワイヤレスデバイスの第２のサブセットのために少なくとも１つの通信チャネルへのアクセスをクリアするようにさらに構成される。
【０００８】
[0008]本開示の別の態様は、ワイヤレス通信のためのデバイスを提供する。本デバイスは、第１の送信特性を有する通信媒体を予約するための第１のメッセージが複数のワイヤレスデバイスの少なくとも第１のサブセットによって復号可能であるように、第１のメッセージを生成するための手段を備える。本デバイスは、第２の送信特性を有する通信媒体の予約をクリアするための第２のメッセージが、複数のワイヤレスデバイスの少なくとも第２のサブセットによって復号可能であり、複数のワイヤレスデバイスの第１のサブセットによって復号可能でないように、第２のメッセージを生成するための手段を備える。本デバイスは、第１のメッセージを送信するための手段を備える。本デバイスは、第２のメッセージをその後、送信し、それによって複数のワイヤレスデバイスの第２のサブセットのために少なくとも１つの通信チャネルへのアクセスをクリアするための手段を備える。
【０００９】
[0009]本開示の別の態様は、実行されたとき、通信媒体を予約するための第１のメッセージが複数のワイヤレスデバイスの少なくとも第１のサブセットによって復号可能であるように、第１の送信特性を利用して第１のメッセージを送信することを装置に行わせるコードを備える非一時的コンピュータ可読媒体を提供する。上記コードは、実行されたとき、通信媒体の予約をクリアするための第２のメッセージが、複数のワイヤレスデバイスの少なくとも第２のサブセットによって復号可能であり、複数のワイヤレスデバイスの第１のサブセットによって復号可能でないように、第２の送信特性を利用して第２のメッセージをその後、送信し、それによって複数のワイヤレスデバイスの第２のサブセットのために少なくとも１つの通信チャネルへのアクセスをクリアすることを装置にさらに行わせる。
【図面の簡単な説明】
【００１０】
【図１】[0010]本開示の態様が採用され得るワイヤレス通信システムの一例を示す図。
【図２】[0011]図１のワイヤレス通信システム内で採用され得るワイヤレスデバイスにおいて利用され得る様々な構成要素を示す図。
【図３】[0012]送信可（ＣＴＳ：clear to send）−ｔｏ−Ｓｅｌｆフレームの一例を示す図。
【図４】[0013]コンテンションフリー（ＣＦ：contention free）−ｅｎｄフレームの一例を示す図。
【図５】[0014]ワイヤレス通信システム１００内で利用され得る、ＣＴＳ−ｔｏ−ＳｅｌｆフレームとＣＦ−ｅｎｄフレームとを含むタイミング図。
【図６】[0015]ワイヤレス通信システム１００内で利用され得る、ＣＴＳ−ｔｏ−Ｓｅｌｆフレームと、一連のＣＦ−ｅｎｄフレーム（a sequence of CF-end frames）とを含む別のタイミング図。
【図７】[0016]ワイヤレス通信の例示的な方法のフローチャート。
【詳細な説明】
【００１１】
[0017]添付の図面を参照しながら、新規のシステム、装置、および方法の様々な態様について以下でより十分に説明する。ただし、本開示の教示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるように与えるものである。本明細書の教示に基づいて、本開示の範囲は、本発明の他の態様とは無関係に実装されるにせよ、本発明の他の態様と組み合わされるにせよ、本明細書で開示する新規のシステム、装置、および方法のいかなる態様をもカバーするものであることを、当業者なら諒解されたい。たとえば、本明細書に記載の態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法をカバーするものとする。本明細書で開示するどの態様も請求項の１つまたは複数の要素によって実施され得ることを理解されたい。
【００１２】
[0018]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかが例として、図および好適な態様についての以下の説明において示される。詳細な説明および図面は、本開示を限定するものではなく説明するものにすぎず、本開示の範囲は添付の特許請求の範囲およびそれの均等物によって定義される。
【００１３】
[0019]ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ＷｉＦｉ（登録商標）、またはより一般的には、ワイヤレスプロトコルのＩＥＥＥ８０２．１１ファミリーの任意のメンバーなど、任意の通信規格に適用され得る。たとえば、本明細書で説明する様々な態様は、ＩＥＥＥ  ８０２．１１ａｈ、８０１．１１ａｃ、８０２．１１ｎ、８０２．１１ｇ、および／または８０２．１１ｂプロトコルの一部として使用され得る。
【００１４】
[0020]いくつかの態様では、サブギガヘルツ帯域中のワイヤレス信号は、直交周波数分割多重（ＯＦＤＭ）、直接シーケンススペクトル拡散（ＤＳＳＳ：direct-sequence spread spectrum）通信、ＯＦＤＭとＤＳＳＳ通信との組合せ、または他の方式を使用して、８０２．１１ａｈプロトコルに従って送信され得る。８０２．１１ａｈプロトコルの実装形態は、センサー、メータリング、およびスマートグリッドネットワークのために使用され得る。有利には、８０２．１１ａｈプロトコルを実装するいくつかのデバイスの態様は、他のワイヤレスプロトコル、たとえば８０２．１１ｂおよび／または８０２．１１ｇなどを実装するデバイスよりも少ない電力を消費し得、および／または比較的長い距離、たとえば約１キロメートル以上にわたってワイヤレス信号を送信するために使用され得る。
【００１５】
[0021]本明細書で説明するデバイスのうちのいくつかは、さらに、多入力多出力（ＭＩＭＯ）技術を実装し得る。これは８０２．１１ａｈ規格の一部としても実装され得る。ＭＩＭＯシステムは、データ伝送のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルまたはストリームとも呼ばれるＮS個の独立チャネルに分解され得、ただし、Ｎｓ≦ｍｉｎ｛Ｎr，ＮR｝である。ＮS個の独立チャネルの各々は、１つの次元に対応する。複数の送信アンテナおよび受信アンテナによって生成された追加の次元数が利用された場合、ＭＩＭＯシステムは改善された性能（たとえば、より高いスループットおよび／またはより大きい信頼性）を与えることができる。
【００１６】
[0022]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）と（局または「ＳＴＡ」とも呼ばれる）クライアントとがあり得る。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイル電話などであり得る。一例では、ＳＴＡは、インターネットまたは他のワイドエリアネットワークへの一般的接続性を取得するためにＷｉＦｉ（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００１７】
[0023]アクセスポイント（「ＡＰ」）はまた、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００１８】
[0024]また、局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラーフォン、コードレス電話、セッション開始プロトコル（「ＳＩＰ」）フォン、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００１９】
[0025]上記で説明したように、本明細書で説明するデバイスのいくつかは、たとえば、８０２．１１ａｈ規格を実装し得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサー適用例を提供するか、またはホームオートメーションにおいて使用され得る。デバイスは、代わりにまたは追加として、たとえばパーソナルヘルスケアのためにヘルスケアコンテキストにおいて使用され得る。それらはまた、（たとえばホットスポットで使用するための）拡張範囲インターネット接続性（extended-range Internet connectivity）を可能にするために、またはマシンツーマシン通信（machine-to-machine communications）を実装するために、監視のために使用され得る。
【００２０】
[0026]図１に、本開示の態様が採用され得るワイヤレス通信システム１００の一例を示す。ワイヤレス通信システム１００は、ワイヤレス規格、たとえば、８０２．１１ａｈ、８０２．１１ａｃ、８０２．１１ｎ、８０２．１１ｇおよび８０２．１１ｂ規格のうちの少なくとも１つに従って動作し得る。ワイヤレス通信システム１００は、ＳＴＡ１０６と通信するＡＰ１０４を含み得る。
【００２１】
[0027]様々なプロセスおよび方法は、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。この場合、ワイヤレス通信システム１００はＣＤＭＡシステムと呼ばれることがある。
【００２２】
[0028]ＡＰ１０４から複数のＳＴＡ１０６のうちの１つまたは複数への送信を容易にする通信リンクはダウンリンク（ＤＬ）１０８と呼ばれることがあり、複数のＳＴＡ１０６のうちの１つまたは複数からＡＰ１０４への送信を容易にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００２３】
[0029]ＡＰ１０４は、基本サービスエリア（ＢＳＡ）１０２においてワイヤレス通信カバレージを与え得る。ＡＰ１０４は、ＡＰ１０４に関連し通信のためにＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろ、複数のＳＴＡ１０６間のピアツーピアネットワークとして機能し得ることに留意されたい。したがって、本明細書で説明するＡＰ１０４の機能は、複数のＳＴＡ１０６のうちの１つまたは複数によって代替的に実施され得る。
【００２４】
[0030]図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４を備えるかまたは複数のＳＴＡ１０６のうちの１つを備え得る。
【００２５】
[0031]ワイヤレスデバイス２０２は、ワイヤレスデバイス２０２の動作を制御するプロセッサ２０４を含み得る。プロセッサ２０４は中央処理ユニット（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に与える。メモリ２０６の一部は不揮発性ランダムアクセスメモリ（ＮＶＲＡＭ）をも含み得る。プロセッサ２０４は、一般に、メモリ２０６内に記憶されたプログラム命令に基づいて論理演算および算術演算を実行する。メモリ２０６中の命令は、本明細書で説明する方法を実装するために実行可能であり得る。
【００２６】
[0032]プロセッサ２０４は、１つまたは複数のプロセッサで実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティ、の任意の組合せで実装され得る。
【００２７】
[0033]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明する様々な機能を処理システムに実行させる。
【００２８】
[0034]ワイヤレスデバイス２０２はまた、ワイヤレスデバイス２０２と遠隔ロケーションとの間のデータの送信および受信を可能にするために送信機２１０と受信機２１２とを含み得るハウジング２０８を含み得る。送信機２１０と受信機２１２とは組み合わせられてトランシーバ２１４になり得る。アンテナ２１６は、ハウジング２０８に取り付けられ、トランシーバ２１４に電気的に結合され得る。ワイヤレスデバイス２０２はまた、たとえば、ＭＩＭＯ通信中に利用され得る、（図示しない）複数の送信機、複数の受信機、複数のトランシーバ、および／または複数のアンテナを含み得る。
【００２９】
[0035]ワイヤレスデバイス２０２は、トランシーバ２１４によって受信された信号のレベルを検出し、定量化するために使用され得る、信号検出器２１８をも含み得る。信号検出器２１８は、総エネルギー、シンボルごとのサブキャリア当たりのエネルギー、電力スペクトル密度および他の信号などの信号を検出し得る。ワイヤレスデバイス２０２は、信号を処理する際に使用するデジタル信号プロセッサ（ＤＳＰ）２２０をも含み得る。ＤＳＰ２２０は、送信のためのデータユニットを生成するように構成され得る。いくつかの態様では、データユニットは物理レイヤデータユニット（ＰＰＤＵ：physical layer data unit）を備え得る。いくつかの態様では、ＰＰＤＵはパケットと呼ばれる。
【００３０】
[0036]ワイヤレスデバイス２０２は、いくつかの態様では、ユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を搬送し、および／またはそのユーザから入力を受信する、任意の要素または構成要素を含み得る。
【００３１】
[0037]ワイヤレスデバイス２０２の様々な構成要素は、バスシステム２２６によって互いに結合され得る。バスシステム２２６は、たとえば、データバス、ならびに、データバスに加えて、電力バスと、制御信号バスと、ステータス信号バスとを含み得る。ワイヤレスデバイス２０２の構成要素は、何らかの他の機構を使用して、互いに結合されるか、または互いに入力を受け付け、または与え得ることを当業者は諒解されよう。
【００３２】
[0038]図２には、いくつかの別個の構成要素が示されているが、構成要素のうちの１つまたは複数が組み合わされ得るかまたは共通に実装され得ることを当業者は認識されよう。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示す構成要素の各々は、複数の別個の要素を使用して実装され得る。
【００３３】
[0039]上記で説明したように、ワイヤレスデバイス２０２は、ＡＰ１０４またはＳＴＡ１０６を備え得、通信を送信および／または受信するために使用され得る。ワイヤレスネットワークにおける複数のデバイスの間で交換される通信は、パケットまたはフレームを備え得るデータユニットを含み得る。いくつかの態様では、データユニットは、データフレーム、制御フレーム、および／または管理フレームを含み得る。データフレームは、ＡＰおよび／またはＳＴＡから他のＡＰおよび／またはＳＴＡにデータを送信するために使用され得る。制御フレームは、（たとえば、データの肯定応答受信、ＡＰのポーリング、エリアクリアリング動作（area-clearing operations）、チャネル捕捉（channel acquisition）、キャリア検知保守機能など）様々な動作を実行するために、およびデータを確実に配信するために、データフレームとともに使用され得る。（たとえば、ワイヤレスネットワークに加わり、そのネットワークから離れるなどのための）様々な監視機能のために、管理フレームが使用され得る。
【００３４】
[0040]図３に、ＣＴＳ−ｔｏ−Ｓｅｌｆフレームの一例を示す。ＣＴＳ−ｔｏ−Ｓｅｌｆフレーム３００は、通信のためのチャネルまたは媒体を予約するためにデバイスによって送信され得る。ＣＴＳ−ｔｏ−Ｓｅｌｆフレーム３００は、４つの異なるフィールド、すなわち、フレーム制御（ＦＣ）フィールド３０２と、持続時間フィールド３０４と、（受信機アドレス（ａ１）とも呼ばれる）受信機アドレス（ＲＡ）フィールド３０６と、フレーム検査シーケンス（ＦＣＳ）フィールド３０８とを含む。図３はさらに、それぞれ、フィールド３０２、３０４、３０６および３０８の各々のオクテットでのサイズを２、２、６および４と示す。フィールドサイズのすべての値を合計すると、１４オクテットである、ＣＴＳ−ｔｏ−Ｓｅｌｆフレーム３００の全体的サイズが得られる。ＲＡフィールド３０６は、４８ビット（６オクテット）値である、デバイスのフルＭＡＣアドレスを含む。ＣＴＳ−ｔｏ−Ｓｅｌｆフレームの場合、ＲＡフィールド３０６におけるＭＡＣアドレスは、ＣＴＳ−ｔｏ−Ｓｅｌｆフレームを送信するデバイスに対応するであろう。ＣＴＳ−ｔｏ−Ｓｅｌｆフレーム３００は、それを送信した同じデバイスにアドレッシングされるので、ＣＴＳ−ｔｏ−Ｓｅｌｆフレーム３００を復号することが可能であり通信チャネル上でリッスンするすべての他のデバイスは、持続時間フィールド３０４において示される持続時間の間、サイレントにされる。
【００３５】
[0041]図４に、コンテンションフリー終了（ＣＦ−ｅｎｄ）フレーム４００を示す。ＣＦ−ｅｎｄフレーム４００は、コンテンションフリー期間の終了をシグナリングするデバイスによって送信され得る。したがって、ＣＦ−ｅｎｄフレーム４００は、ネットワーク割振りベクトル（ＮＡＶ：a network allocation vector）、たとえば、図３のＣＴＰ−ｔｏ−Ｓｅｌｆフレーム３００に応答して行われた予約を取り消すために使用され得る。ＣＦ−ｅｎｄフレーム４００を受信した受信機は、次いで、ＮＡＶが取り消されるべきであると決定し得る。ＣＦ−ｅｎｄフレーム４００は、５つの異なるフィールド、すなわち、フレーム制御（ＦＣ）フィールド４０２と、持続時間フィールド４０４と、（受信機アドレス（ａ１）とも呼ばれる）受信機アドレス（ＲＡ）フィールド４０６と、（送信機アドレス（ａ２）とも呼ばれる）送信機アドレス（ＴＡ）フィールド４０８と、フレーム検査シーケンス（ＦＣＳ）フィールド４１０とを含む。図４はさらに、それぞれ、フィールド４０２、４０４、４０６、４０８および４１０の各々のオクテットでのサイズを２、２、６、６および４と示す。フィールドサイズのすべての値を合計すると、２０オクテットである、ＣＦ−ｅｎｄフレーム４００の全体的サイズが得られる。持続時間フィールド４０４は、送信機会（ＴＸＯＰ）の完了を示すために、生成ＳＴＡ（generating STA）によって０に設定され得る（すなわち、受信ＳＴＡ（receiving STAs）のＮＡＶを０に設定する）。ＲＡフィールド４０６およびＴＡフィールド４０８の各々は、４８ビット（６オクテット）値である、デバイスのフルＭＡＣアドレスを備える。したがって、たとえば、ＣＴＳ−ｔｏ−Ｓｅｌｆフレーム３００の持続時間３０４の間、前にサイレントにされた、通信チャネル上でリッスンする、ＣＦ−ｅｎｄフレーム４００を復号することができるすべてのデバイスは、再び通信チャネル上で通信することが可能になる。
【００３６】
[0042]図５に、ワイヤレス通信システム１００内で利用され得る、ＣＴＳ−ｔｏ−ＳｅｌｆフレームとＣＦ−ｅｎｄフレームとを含むタイミング図を示す。図５は、１つまたは複数のワイヤレスデバイスを、１つまたは複数の他のワイヤレスデバイスが通信することを可能にされる間、サイレントにするために利用され得る例示的なシーケンスを示す。タイミング図５００は、ビーコン５０２、ＣＴＳ−ｔｏ−Ｓｅｌｆフレーム５０４およびＣＦ−ｅｎｄフレーム５０６を示す。図５では、図１のＡＰ１０４は、たとえば、ＣＴＳ−ｔｏ−Ｓｅｌｆフレーム５０４をそれ自体に送信し得る。ＣＴＳ−ｔｏ−Ｓｅｌｆフレーム５０４は任意の時間に送信され得るが、ビーコン５０２の近くでＣＴＳ−ｔｏ−Ｓｅｌｆフレーム５０４を送信することは、ＣＴＳ−ｔｏ−Ｓｅｌｆフレーム５０４が送信されるとき、ＳＴＡ、たとえば、ＳＴＡ１０６ａ〜１０６ｄが目覚めて（awake）いることを保証する。ＣＴＳ−ｔｏ−Ｓｅｌｆフレーム５０４は、受信ＳＴＡがＣＦ−ｅｎｄフレームを受信し、復号しない限り、受信ＳＴＡがその間にサイレントである区間５２０を開始し（initiate interval 520）得る。
【００３７】
[0043]ＡＰ１０４は、少なくともサイレントにされるべきワイヤレスデバイスがＣＴＳ−ｔｏ−Ｓｅｌｆフレーム５０４を復号することができるように、送信特性を使用してＣＴＳ−ｔｏ−Ｓｅｌｆフレーム５０４を送信し得る。たとえば、図１に関して、ＳＴＡ１０６ｄが干渉なしにＡＰ１０４と通信し得るように、ＳＴＡ１０６ａ、１０６ｂ、および１０６ｃをサイレントにすることが望ましいことがある。したがって、送信特性は、少なくともＳＴＡ１０６ａ、１０６ｂおよび１０６ｃがＣＴＳ−ｔｏ−Ｓｅｌｆフレーム５０４を復号し得るようなものであり得る。ＳＴＡ１０６ａ〜１０６ｃがＣＴＳ−ｔｏ−Ｓｅｌｆ５０４フレームを検出したとき、ＳＴＡ１０６ａ〜１０６ｃは、ＣＴＳ−ｔｏ−Ｓｅｌｆフレーム５０４内の持続時間フィールドによって識別された区間５２０の間サイレントにされる。ＣＴＳ−ｔｏ−Ｓｅｌｆフレーム５０４の持続時間フィールドは、総通信時間の所定の割合が、ＳＴＡ１０６ｄが通信するために予約されるように設定され得る。ＳＴＡ１０６ｄはまた、ＣＴＳ−ｔｏ−Ｓｅｌｆフレーム５０４を復号することが可能であり得る。
【００３８】
[0044]ＡＰ１０４は、通信のためにクリアされるべき少なくとも１つのワイヤレスデバイスがＣＦ−ｅｎｄフレーム５０６を復号することができ、サイレントにされるべき少なくとも１つのワイヤレスデバイスがＣＦ−ｅｎｄフレーム５０６を復号することができないように、別の送信特性を使用してＣＦ−ｅｎｄフレーム５０６をその後、送信し得る。ＣＦ−ｅｎｄフレーム５０６は区間５２０の持続時間内に送信され得る。たとえば、ＳＴＡ１０６ｄは、ＣＦ−ｅｎｄフレーム５０６を復号することが可能であり得る。ＣＦ−ｅｎｄフレーム５０６を復号することは、ＳＴＡ１０６ｄのために、ＣＴＳ−ｔｏ−Ｓｅｌｆフレーム５０４によって呼び出されて（invoked）いることがある任意のサイレンスコマンドをクリアする。このようにして、ＡＰ１０４は、ＳＴＡ１０６ｄのために少なくとも１つの通信チャネルをクリアし得る。さらに、ＡＰ１０４は、周期的間隔に従って、ＣＴＳ−ｔｏ−Ｓｅｌｆフレーム５０４を送信することと、ＣＦ−ｅｎｄフレーム５０６をその後送信することとを繰り返し得る。
【００３９】
[0045]一実装形態では、送信特性は物理レイヤ（ＰＨＹ）モードであり得る。この実装形態では、ＳＴＡ１０６ａ〜１０６ｃは、ＩＥＥＥ８０２．１１ｂ規格に従うモードで動作するＰＨＹを含み得る。したがって、ＳＴＡ１０６ａ〜１０６ｃは、８０２．１１ａｃに関連するＰＨＹモードを利用して送信されたメッセージを復号することができる。対照的に、ＳＴＡ１０６ｄは、ＩＥＥＥ８０２．１１ａｃ規格に従って動作するＰＨＹを有し得、したがって、８０２．１１ａｃに関連するＰＨＹモードを利用して送信されたメッセージを復号することが可能であり得る。この実装形態では、ＡＰ１０４は、たとえば、８０２．１１ｂ規格に関連するＰＨＹモードを利用してＣＴＳ−ｔｏ−Ｓｅｌｆフレーム５０４を送信し得る。したがって、ＳＴＡ１０６ａ〜１０６ｃは、ＣＴＳ−ｔｏ−Ｓｅｌｆフレーム５０４を復号することができ、区間５２０の間サイレントになる。ＡＰ１０４は、８０２．１１ａｃ規格に関連するＰＨＹモードを利用してＣＦ−ｅｎｄフレーム５０６をその後、送信し得る。ＳＴＡ１０６ａ〜１０６ｃは、８０２．１１ｂ規格に関連するＰＨＹモードを利用して動作するので、ＳＴＡ１０６ａ〜１０６ｃは、ＣＦ−ｅｎｄフレーム５０６を復号することが可能でなく、区間５３０の間サイレントのままである。しかしながら、ＳＴＡ１０６ｄは、ＣＦ−ｅｎｄフレーム５０６を復号することが可能になり、区間５３０の間ＳＴＡ１０６ａ〜１０６ｃからの干渉なしにＡＰ１０４と通信することを可能にされる。このようにして、特定のＰＨＹモードで動作するデバイスは、区間５３０の間、別のＰＨＹモードで動作するデバイスのほうを優先してブロックされ得る。
【００４０】
[0046]別の実装形態では、送信特性は変調コーディング方式（ＭＣＳ：a modulation coding scheme）であり得る。この実装形態では、ＳＴＡ１０６ａ〜１０６ｃは、たとえば、コンプリメンタリコードキーイング（ＣＣＫ：complementary code keying）を利用し得、したがって、ＣＣＫ方式に従って送信されたメッセージを復号することが可能であり得る。対照的に、ＳＴＡ１０６ｄは、直交周波数分割多重（ＯＦＤＭ）を利用し得、したがって、ＯＦＤＭ方式に従って送信されたメッセージを復号することが可能であり得る。この実装形態では、ＡＰ１０４は、ＣＣＫを利用してＣＴＳ−ｔｏ−Ｓｅｌｆフレーム５０４を送信し得る。したがって、ＳＴＡ１０６ａ〜１０６ｃは、ＣＴＳ−ｔｏ−Ｓｅｌｆフレーム５０４を復号することが可能であり得、区間５２０の間サイレントになる。ＡＰ１０４は、ＯＦＤＭを利用してＣＦ−ｅｎｄフレーム５０６をその後、送信し得る。ＳＴＡ１０６ａ〜１０６ｃはＣＣＫ方式を利用して動作するので、ＳＴＡ１０６ａ〜１０６ｃは、ＣＦ−ｅｎｄフレーム５０６を復号することが可能でなく、区間５３０の間サイレントのままである。しかしながら、ＳＴＡ１０６ｄは、ＣＦ−ｅｎｄフレーム５０６を復号することが可能になり、区間５３０の間ＳＴＡ１０６ａ〜１０６ｃからの干渉なしに通信することを可能にされる。このようにして、特定のＭＣＳの下で動作するデバイスは、区間５３０の間、別のＭＣＳの下で動作するデバイスのほうを優先してブロックされ得る。
【００４１】
[0047]また別の実装形態では、送信特性は帯域幅であり得る。この実装形態では、ＳＴＡ１０６ａ〜１０６ｃは、２０ＭＨｚの帯域幅を利用して通信し得、したがって、２０ＭＨｚ帯域幅を利用して送信されたメッセージを復号することが可能であり得る。対照的に、ＳＴＡ１０６ｄは、たとえば、２０ＭＨｚ、４０ＭＨｚ、８０ＭＨｚおよび１６０ＭＨｚのいずれかの帯域幅を利用して通信し得、したがって、２０ＭＨｚ、４０ＭＨｚ、８０ＭＨｚおよび１６０ＭＨｚのいずれかの帯域幅を利用するメッセージを復号することが可能であり得る。この実装形態では、ＡＰ１０４は、２０ＭＨｚの帯域幅を利用してＣＴＳ−ｔｏ−Ｓｅｌｆフレーム５０４を送信し得る。したがって、ＳＴＡ１０６ａ〜１０６ｃは、ＣＴＳ−ｔｏ−Ｓｅｌｆフレーム５０４を復号することが可能であり得、区間５２０の間サイレントになる。ＡＰ１０４は、８０ＭＨｚの帯域幅を利用してＣＦ−ｅｎｄフレーム５０６をその後、送信し得る。ＳＴＡ１０６ａ〜１０６ｃは２０ＭＨｚの帯域幅を利用して動作するので、ＳＴＡ１０６ａ〜１０６ｃは、ＣＦ−ｅｎｄフレーム５０６を復号することが可能でなく、区間５３０の間サイレントのままである。しかしながら、ＳＴＡ１０６ｄは、ＣＦ−ｅｎｄフレーム５０６を復号することが可能になり、区間５３０の間ＳＴＡ１０６ａ〜１０６ｃからの干渉なしに通信することを可能にされる。このようにして、特定の帯域幅を利用するデバイスは、区間５３０中に、別の帯域幅を利用するデバイスのほうを優先してブロックされ得る。
【００４２】
[0048]また別の実装形態では、送信特性は送信周波数であり得る。この実装形態では、ＳＴＡ１０６ａ〜１０６ｃは、２．４ＧＨｚの周波数において通信し得、したがって、２．４ＧＨｚにおいて送信されたメッセージを復号することが可能であり得る。対照的に、ＳＴＡ１０６ｄは、たとえば、５ＧＨｚの周波数において、通信し、メッセージを復号し得る。この例では、ＡＰ１０４は、２．４ＧＨｚの周波数においてＣＴＳ−ｔｏ−Ｓｅｌｆフレーム５０４を送信し得る。したがって、ＳＴＡ１０６ａ〜１０６ｃは、ＣＴＳ−ｔｏ−Ｓｅｌｆフレーム５０４を復号することが可能であり得、区間５２０の間サイレントになる。ＡＰ１０４は、５ＧＨｚの周波数においてＣＦ−ｅｎｄフレーム５０６をその後、送信し得る。ＳＴＡ１０６ａ〜１０６ｃは２．４ＧＨｚの周波数において動作するので、ＳＴＡ１０６ａ〜１０６ｃは、ＣＦ−ｅｎｄフレーム５０６を復号することが可能でなく、区間５３０の間サイレントのままである。しかしながら、ＳＴＡ１０６ｄは、ＣＦ−ｅｎｄフレーム５０６を復号することが可能になり、区間５３０の間ＳＴＡ１０６ａ〜１０６ｃからの干渉なしに通信することを可能にされる。このようにして、特定の周波数において動作するデバイスは、区間５３０の間、別の周波数において動作するデバイスのほうを優先してブロックされ得る。
【００４３】
[0049]また別の実装形態では、送信特性はＭＩＭＯストリームの数であり得る。この実装形態では、ＳＴＡ１０６ａ〜１０６ｃは、単一のデータストリームのみを利用して、通信し、メッセージを復号し得る。対照的に、ＳＴＡ１０６ｄは、たとえば、１つと８つとの間の任意の数のデータストリームを利用して通信し得、したがって、ＳＴＡ１０６ｄは、１つと８つとの間の任意の数のデータストリームを利用して送信されたメッセージを復号することが可能であり得る。この例では、ＡＰ１０４は、単一のデータストリームを利用してＣＴＳ−ｔｏ−Ｓｅｌｆフレーム５０４を送信し得る。したがって、ＳＴＡ１０６ａ〜１０６ｃは、ＣＴＳ−ｔｏ−Ｓｅｌｆフレーム５０４を復号することが可能であり得、区間５２０の間サイレントになる。ＡＰ１０４は、たとえば４つのＭＩＭＯデータストリームを利用してＣＦ−ｅｎｄフレーム５０６をその後、送信し得る。ＳＴＡ１０６ａ〜１０６ｃは単一のデータストリームを利用するので、ＳＴＡ１０６ａ〜１０６ｃは、ＣＦ−ｅｎｄフレーム５０６を復号することが可能でなく、区間５３０の間サイレントのままである。しかしながら、ＳＴＡ１０６ｄは、ＣＦ−ｅｎｄフレーム５０６を復号することが可能になり、区間５３０の間ＳＴＡ１０６ａ〜１０６ｃからの干渉なしに通信することを可能にされる。このようにして、特定のＭＩＭＯ構成において、またはＭＩＭＯなしに動作することのみが可能なデバイスは、区間５３０の間、別のＭＩＭＯ構成において動作することが可能なデバイスのほうを優先してブロックされ得る。
【００４４】
[0050]また別の実装形態では、送信特性はストリームごとのデータレートであり得る。この実装形態では、ＳＴＡ１０６ａ〜１０６ｃは、１、２、５．５または１１Ｍｂ／ｓのデータレートを利用して、通信し、メッセージを復号し得る。対照的に、ＳＴＡ１０６ｄは、たとえば、最高８００Ｍｂ／ｓ超において、通信し、メッセージを復号し得る。この実装形態では、ＡＰ１０４は、１１Ｍｂ／ｓのデータレートにおいてＣＴＳ−ｔｏ−Ｓｅｌｆフレーム５０４を送信し得る。したがって、ＳＴＡ１０６ａ〜１０６ｃは、ＣＴＳ−ｔｏ−Ｓｅｌｆフレーム５０４を復号することが可能であり得、区間５２０の間サイレントになる。ＡＰ１０４は、たとえば５４Ｍｂ／ｓのデータレートにおいてＣＦ−ｅｎｄフレーム５０６をその後、送信し得る。ＳＴＡ１０６ａ〜１０６ｃは最高わずか１１Ｍｂ／ｓにおいて通信し得るので、ＳＴＡ１０６ａ〜１０６ｃは、ＣＦ−ｅｎｄフレーム５０６を復号することが可能でなく、区間５３０の間サイレントのままである。５４Ｍｂ／ｓで送信されたＣＦ−ｅｎｄフレーム５０６は、代わりに、ＳＴＡ１０６ａ〜１０６ｃにとって雑音として現れ得る。しかしながら、ＳＴＡ１０６ｄは、ＣＦ−ｅｎｄフレーム５０６を復号することが可能になり、区間５３０の間ＳＴＡ１０６ａ〜１０６ｃからの干渉なしに通信することを可能にされる。このようにして、低い通信レートを有するデバイスは、区間５３０の間、より高い通信レートを有するデバイスのほうを優先してブロックされ得る。
【００４５】
[0051]上記で説明した例示的な実装形態に加えて、本出願は、限定はしないが、上記の例示的な実装形態の任意の組合せを企図する。たとえば、ＡＰ１０４は、少なくともサイレントにされるべきＳＴＡに適合する（compatible with）ＭＣＳを利用してＣＴＳ−ｔｏ−Ｓｅｌｆフレーム５０４を送信し、次いで、通信のためにクリアされるべき１つまたは複数のＳＴＡに適合し、サイレントにされるべきＳＴＡに適合しないいくつかのＭＩＭＯチャネルを利用してＣＦ−ｅｎｄフレーム５０６を送信し得る。
【００４６】
[0052]本発明概念は、サイレントにされるべきデバイスの単一のグループ、および通信のためにクリアされるべきデバイスの単一のグループに限定される必要はない。別の実装形態では、連続的に異なる送信特性とのＳＴＡ適合性（STA compatibility）に基づいて通信チャネルへの連続アクセスを可能にするために、連続的に異なる送信特性を有する一連のＣＦ−ｅｎｄフレームが送信され得る。このようにして、どのデバイスがどの区間の間にブロックされるかのよりきめ細かい制御（finer grained control）が影響を及ぼされ得る。
【００４７】
[0053]図６に、ワイヤレス通信システム１００内で利用され得る、ＣＴＳ−ｔｏ−Ｓｅｌｆフレームと、一連のＣＦ−ｅｎｄフレームとを含む別のタイミング図を示す。図６は、１つまたは複数のワイヤレスデバイスを、複数の他のワイヤレスデバイスが１つまたは複数の送信特性とのそれらの適合性に基づいて連続区間の間に（during successive intervals）通信することを可能にされる間、サイレントにするために利用され得る例示的なシーケンスを示す。タイミング図６００は、ビーコン６０２、ＣＴＳ−ｔｏ−Ｓｅｌｆフレーム６０４、ＣＦ−ｅｎｄフレーム６０６ａ、ＣＦ−ｅｎｄフレーム６０６ｂ、およびＣＦ−ｅｎｄフレーム６０６ｃを示す。３つのＣＦ−ｅｎｄフレームが示されているが、本出願はそのように限定されず、任意の数のＣＦ−ｅｎｄフレームを含み得る。図６では、ＡＰ、たとえば、図１のＡＰ１０４は、ＣＴＳ−ｔｏ−Ｓｅｌｆフレーム６０４をそれ自体に送信し得る。ＣＴＳ−ｔｏ−Ｓｅｌｆフレーム６０４は任意の時間に送信され得るが、ビーコン６０２の近くでＣＴＳ−ｔｏ−Ｓｅｌｆフレーム６０４を送信することは、ＣＴＳ−ｔｏ−Ｓｅｌｆフレーム６０４が送信されるとき、ＳＴＡ、たとえば、ＳＴＡ１０６ａ〜１０６ｄが目覚めていることを保証する。ＣＴＳ−ｔｏ−Ｓｅｌｆフレーム６０４は、受信ＳＴＡがその間にサイレントである区間６２０を開始し得る。
【００４８】
[0054]ＡＰ１０４は、少なくともサイレントにされるべきワイヤレスデバイスがＣＴＳ−ｔｏ−Ｓｅｌｆフレーム６０４を復号し得るように、送信特性を使用してＣＴＳ−ｔｏ−Ｓｅｌｆフレーム６０４を送信し得る。たとえば、図１に関して、ＳＴＡ１０６ｄが干渉なしにＡＰ１０４と通信し得るように、少なくともある区間の間ＳＴＡ１０６ａ、１０６ｂ、および１０６ｃをサイレントにすることが望ましいことがある。ＡＰ２１０４は、ＳＴＡ１０６ａ、１０６ｂおよび１０６ｃが復号することができる送信特性を使用してＣＴＳ−ｔｏ−Ｓｅｌｆフレーム６０４を送信し得る。したがって、ＳＴＡ１０６ａ〜１０６ｃは、ＣＴＳ−ｔｏ−Ｓｅｌｆフレーム６０４内の持続時間フィールドによって識別された区間６２０の間サイレントになる。ＳＴＡ１０６ｄはまた、ＣＴＳ−ｔｏ−Ｓｅｌｆフレーム６０４を復号することが可能であり得る。
【００４９】
[0055]一実装形態では、図１のＳＴＡ１０６ａのみが、単一のデータストリームを利用して通信することが可能であり得る。ＳＴＡ１０６ｂは、単一のデータストリームまたは２つのＭＩＭＯデータストリームのいずれかを利用して通信することが可能であり得る。ＳＴＡ１０６ｃは、１つと３つとの間の任意の数のデータストリームを利用して通信することが可能であり得る。ＳＴＡ１０６ｄは、１つから４つまでの任意の数のデータストリームを利用して通信することが可能であり得る。したがって、この実装形態では、ＡＰ１０４は、ＳＴＡ１０６ａ〜１０６ｄの各々が、ＣＴＳ−ｔｏ−Ｓｅｌｆフレーム６０４を復号し、サイレントであり得るように、単一のデータストリームを利用してＣＴＳ−ｔｏ−Ｓｅｌｆフレーム６０４を送信し得る。
【００５０】
[0056]ＡＰ１０４は、４つのＭＩＭＯデータストリームを利用してＣＦ−ｅｎｄフレーム６０６ａをその後、送信し得る。したがって、ＳＴＡ１０６ｄは、ＣＦ−ｅｎｄフレーム６０６ａを復号することが可能になり、少なくとも区間６３０の間排他的に（in exclusivity）通信チャネル上で通信するためにクリアされる。ＳＴＡ１０６ａ〜１０６ｃは、４つのＭＩＭＯデータストリームを利用して送信されたメッセージを復号することができないので、ＳＴＡ１０６ａ〜１０６ｃは、ＣＦ−ｅｎｄフレーム６０６ａを復号することができず、サイレントのままである。
【００５１】
[0057]ＡＰ１０４は、３つのＭＩＭＯデータストリームを利用してＣＦ−ｅｎｄフレーム６０６ｂをその後、送信し得る。したがって、ＳＴＡ１０６ｃとＳＴＡ１０６ｄの両方は、ＣＦ−ｅｎｄフレーム６０６ｂを復号することが可能になる。ＳＴＡ１０６ｄは、ＣＦ−ｅｎｄフレーム６０６ａによって通信のためにすでにクリアされている。次に、ＳＴＡ１０６ｃは、少なくとも区間６４０の間、ＳＴＡ１０６ｄとともに、通信チャネル上で通信するためにクリアされる。ＳＴＡ１０６ａ〜１０６ｂは、３つのＭＩＭＯデータストリームを利用して送信されたメッセージを復号することができないので、ＳＴＡ１０６ａ〜１０６ｂは、ＣＦ−ｅｎｄフレーム６０６ｂを復号することができず、サイレントのままである。
【００５２】
[0058]ＡＰ１０４は、２つのＭＩＭＯデータストリームを利用してＣＦ−ｅｎｄフレーム６０６ｃをその後、送信し得る。したがって、ＳＴＡ１０６ｂ〜１０６ｄの各々は、ＣＦ−ｅｎｄフレーム６０６ｃを復号することが可能になる。ＳＴＡ１０６ｃおよび１０６ｄは、それぞれ、ＣＦ−ｅｎｄフレーム６０６ｂおよび６０６ａによって通信のためにすでにクリアされている。次に、ＳＴＡ１０６ｂは、少なくとも区間６５０の間、ＳＴＡ１０６ｃおよび１０６ｄとともに、通信チャネル上で通信するためにクリアされ、ＳＴＡ１０６ａはサイレントのままである。
【００５３】
[0059]上記実装形態は送信特性としてＭＩＭＯデータチャネルの数を利用したが、本出願はそのように限定されない。他の実装形態は、図５に関して前に説明したものと同様の、ＰＨＹモード、ＭＣＳ、帯域幅、送信周波数、データレート、またはそれらの送信特性の任意の組合せを含む、しかしそれらに限定はしない、送信特性を利用し得る。さらに、ＡＰ１０４は、周期的間隔に従って、ＣＴＳ−ｔｏ−Ｓｅｌｆフレーム６０４を送信することと、一連のＣＦ−ｅｎｄフレーム６０６ａ〜６０６ｃをその後送信することとを繰り返し得る。図５および図６に関して上記で説明した例はＣＴＳ−ｔｏ−ＳｅｌｆフレームおよびＣＦ−ｅｎｄフレームを利用するが、これらのフレームタイプは例示的なものにすぎず、本出願はそのように限定されない。たとえば、通信のために１つまたは複数のチャネルまたは媒体を予約するように働く（serve）任意のフレームまたはメッセージが、ＣＴＳ−ｔｏ−Ｓｅｌｆフレームの代わりに利用され得る。同様に、１つまたは複数のチャネルまたは媒体のそのような予約をクリアするように働く任意のフレームまたはメッセージが、ＣＦ−ｅｎｄフレームの代わりに利用され得る。
【００５４】
[0060]図７に、ワイヤレス通信の例示的な方法の態様のフローチャートを示す。方法７００は、上記で説明したフレームのいずれかを生成し、送信するために使用され得る。フローチャート７００の方法について、図５および図６に関して前に説明したタイミング図５００および６００を参照しながら本明細書で説明する。フレームは、ＡＰ１０４によって、図１に示されたＳＴＡ１０６ａ〜１０６ｄのうちの１つまたは複数に送信され得る。さらに、上記で説明したように、図２に示されたワイヤレスデバイス２０２は、ＡＰ１０４のより詳細な図を表し得る。したがって、一実装形態では、フローチャート７００における複数のステップのうちの１つまたは複数が、図２のプロセッサ２０４および送信機２１０など、プロセッサおよび／または送信機によって実行され得るか、またはそれらと連動して実行され得るが、本明細書で説明する複数のステップのうちの１つまたは複数を実装するために他の構成要素が使用され得ることを当業者は諒解されよう。ブロックは、ある順序で起こるものとして説明されることがあるが、ブロックは並べ替えられ得、ブロックは省略され得、および／または追加のブロックが追加され得る。
【００５５】
[0061]まず、ブロック７０２において、ＡＰ１０４は、通信媒体を予約するための第１のメッセージが複数のワイヤレスデバイスの少なくとも第１のサブセットによって復号可能であるように、第１の送信特性を利用して第１のメッセージを送信し得る。たとえば、ＡＰ１０４は、少なくともＳＴＡ１０６ａ、１０６ｂおよび１０６ｃがＣＴＳ−ｔｏ−Ｓｅｌｆフレーム５０４を復号し得るように、送信特性を使用してＣＴＳ−ｔｏ−Ｓｅｌｆフレーム５０４を送信し得る。そのような例では、少なくともＳＴＡ１０６ａ〜１０６ｃが区間５２０の間サイレントにされる。
【００５６】
[0062]次いで、ブロック７０４において、ＡＰ１０４は、通信媒体の予約をクリアするための第２のメッセージが、複数のワイヤレスデバイスの少なくとも第２のサブセットによって復号可能であり、複数のワイヤレスデバイスの第１のサブセットによって復号可能でないように、第２の送信特性を利用して第２のメッセージをその後、送信する。これは、複数のワイヤレスデバイスの第２のサブセットのために少なくとも１つの通信チャネルへのアクセスをクリアする。たとえば、ＡＰ１０４は、ＳＴＡ１０６ｄがＣＦ−ｅｎｄフレーム５０６を復号し得るように、送信特性を使用してＣＦ−ｅｎｄフレーム５０６を送信し得る。これは、ＣＴＳ−ｔｏ−Ｓｅｌｆフレーム５０４によって呼び出されていることがあるＳＴＡ１０６ｄ内のサイレンスコマンドをクリアする。
【００５７】
[0063]通信媒体の予約をクリアするための２つ以上のメッセージ（たとえば、ＣＦ−ｅｎｄフレーム）が送信される場合、方法７００はブロック７０６を続け得る。ブロック７０６において、ＡＰ１０４は、通信媒体の予約をクリアするための少なくとも１つの追加のメッセージを送信し、各々は、複数のワイヤレスデバイスの異なるサブセットによって復号可能であり、複数のワイヤレスデバイスの第１のサブセットによって復号可能でない異なる送信特性を利用する。たとえば、連続的に異なる送信特性とのＳＴＡ適合性に基づいて通信チャネルへの連続アクセスを可能にするために、連続的に異なる送信特性を有する一連のＣＦ−ｅｎｄフレームが送信され得る。図６に関して前に説明したように、ＡＰ１０４は、ＳＴＡ１０６ｃが復号することができる送信特性を利用してＣＦ−ｅｎｄフレーム６０６ｂを送信し得る。次に、ＳＴＡ１０６ｃは、少なくとも区間６４０の間、ＳＴＡ１０６ｄとともに、通信チャネル上で通信するためにクリアされ、ＳＴＡ１０６ａ〜１０６ｂはサイレントのままである。ＡＰ１０４は、ＳＴＡ１０６ｂが復号することができるさらに異なる送信特性を利用して、ＣＦ−ｅｎｄフレーム６０６ｃをその後、送信し得る。次に、ＳＴＡ１０６ｂは、少なくとも区間６５０の間、ＳＴＡ１０６ｃおよび１０６ｄとともに、通信チャネル上で通信するためにクリアされ、ＳＴＡ１０６ａはサイレントのままである。
【００５８】
[0064]上記実装形態は、レガシー８０２．１１ワイヤレスＳＴＡに適合し、何らかのＰＨＹまたはＭＡＣ変更を必要としない。その上、本明細書で開示した１つまたは複数の方法を制定する（instituting）ワイヤレスデバイスは、送信されたフレームの送信特性が、特定のＳＴＡが特定の区間の間に通信することをブロックされるかどうかを決定するので、周囲のＳＴＡの数または能力のアウェアネス（an awareness）を必要としない。
【００５９】
[0065]本明細書で使用する「決定すること」という用語は、多種多様なアクションを包含する。たとえば、「決定すること」は、計算すること、算出すること、処理すること、導出すること、調査すること、探索すること（たとえば、テーブル、データベースまたは別のデータ構造で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。さらに、本明細書で使用する「チャネル幅」は、いくつかの態様では帯域幅を包含することがあるか、または帯域幅と呼ばれることもある。
【００６０】
[0066]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものとする。
【００６１】
[0067]上記で説明した方法の様々な動作は、様々なハードウェアおよび／または（１つまたは複数の）ソフトウェア構成要素、回路、および／または（１つまたは複数の）モジュールなど、それらの動作を実行することが可能な任意の好適な手段によって実行され得る。概して、図に示したどの動作も、その動作を実行することが可能な対応する機能的手段によって実行され得る。
【００６２】
[0068]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、計算デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６３】
[0069]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含むコンピュータ通信媒体と、コンピュータ記憶媒体との両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。
【００６４】
[0070]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【００６５】
[0071]説明した機能は、ハードウェア、ソフトウェア、ファームウェア、またはそれらの任意の組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。
【００６６】
[0072]したがって、いくつかの態様は、本明細書で提示した動作を実行するためのコンピュータプログラム製品を備え得る。たとえば、そのようなコンピュータプログラム製品は、本明細書で説明した動作を実行するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【００６７】
[0073]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【００６８】
[0074]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。さらに、本明細書で説明した方法および技法をデバイスに提供するための任意の他の好適な技法が利用され得る。
【００６９】
[0075]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【００７０】
[0076]上記は本開示の態様を対象とするが、本開示の他の態様およびさらなる態様は、それの基本的範囲から逸脱することなく考案され得、それの範囲は以下の特許請求の範囲によって決定される。
【図１】
2016184939.tif 000003
【図２】
2016184939.tif 000004
【図３】
2016184939.tif 000005
【図４】
2016184939.tif 000006
【図５】
2016184939.tif 000007
【図６】
2016184939.tif 000008
【図７】
2016184939.tif 000009
【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
送信特性の第１の組み合わせを利用する通信媒体の予約を確立するための第１のメッセージが複数のワイヤレスデバイスによって読取り可能であるように、前記第１のメッセージを送信することと、
前記通信媒体の前記予約をクリアするための複数のメッセージをその後、送信し、前記複数のメッセージの各々は、前記複数のメッセージの各々が、前記複数のワイヤレスデバイスの異なるサブセットによって読取り可能であるように、前記第１の組み合わせとは異なる送信特性の組み合わせを利用し、それによって前記複数のワイヤレスデバイスの各異なるサブセットのために前記通信媒体の少なくとも１つの通信チャネルへのアクセスをその後クリアすることと、
を備える、ワイヤレス通信の方法。
【請求項２】
前記第１のメッセージが前記予約の持続時間を示し、前記複数のメッセージの各々が前記持続時間内に送信される、請求項１に記載の方法。
【請求項３】
周期的間隔に従って、前記第１のメッセージを前記送信することと、前記複数のメッセージを前記その後送信することとを繰り返すことをさらに備える、請求項１に記載の方法。
【請求項４】
前記送信特性が、送信周波数と、物理レイヤモードと、変調コーディング方式と、同時データストリームの数と、データレートとのうちの少なくとも１つを備える、請求項１に記載の方法。
【請求項５】
前記第１のメッセージが送信可メッセージである、請求項１に記載の方法。
【請求項６】
前記複数のメッセージがコンテンションフリー終了メッセージである、請求項１に記載の方法。
【請求項７】
前記複数のワイヤレスデバイスの各異なるサブセットサブセットが、前記複数のワイヤレスデバイスのいずれか他のサブセットに含まれていない前記複数のワイヤレスデバイスのうちの少なくとも１つのワイヤレスデバイスを含む、請求項１に記載の方法。
【請求項８】
送信特性の第１の組み合わせを利用する通信媒体の予約を確立するための第１のメッセージが複数のワイヤレスデバイスによって読取り可能であるように、前記第１のメッセージを生成し、
前記通信媒体の前記予約をクリアするための複数のメッセージを生成し、前記複数のメッセージの各々は、前記複数のメッセージの各々が、前記複数のワイヤレスデバイスの異なるサブセットによって読取り可能であるように、前記第１の組み合わせとは異なる送信特性の組み合わせを利用する
ように構成される、プロセッサと、
前記第１のメッセージを送信し、それによって、前記通信媒体の前記予約を確立し、
前記複数のメッセージをその後送信し、それによって前記複数のワイヤレスデバイスの各異なるサブセットのために前記通信媒体の少なくとも１つの通信チャネルへのアクセスをその後クリアする
ように構成される、送信機と
を備える、ワイヤレス通信のためのデバイス。
【請求項９】
前記第１のメッセージが前記予約の持続時間を示し、前記送信機が、前記持続時間内に前記複数のメッセージの各々を送信するように構成された、請求項８に記載のデバイス。
【請求項１０】
前記送信機が、周期的間隔に従って、前記第１のメッセージを繰り返して送信し、前記複数のメッセージをその後送信するように構成された、請求項８に記載のデバイス。
【請求項１１】
前記送信特性が、送信周波数と、物理レイヤモードと、変調コーディング方式と、同時データストリームの数と、データレートとのうちの少なくとも１つを備える、請求項８に記載のデバイス。
【請求項１２】
前記第１のメッセージが送信可メッセージである、請求項８に記載のデバイス。
【請求項１３】
前記複数のメッセージがコンテンションフリー終了メッセージである、請求項８に記載のデバイス。
【請求項１４】
前記複数のワイヤレスデバイスの各異なるサブセットが、前記複数のワイヤレスデバイスのいずれか他のサブセットに含まれていない前記複数のワイヤレスデバイスのうちの少なくとも１つのワイヤレスデバイスを含む、請求項８に記載のデバイス。
【請求項１５】
実行されたとき、
送信特性の第１の組み合わせを利用する通信媒体の予約を確立するための第１のメッセージが複数のワイヤレスデバイスによって読取り可能であるように、前記第１のメッセージを送信することと、
前記通信媒体の前記予約をクリアするための複数のメッセージをその後、送信し、前記複数のメッセージの各々は、前記複数のメッセージの各々が、前記複数のワイヤレスデバイスの異なるサブセットによって復号可能であるように、前記第１の組み合わせとは異なる送信特性の組み合わせを利用し、それによって前記複数のワイヤレスデバイスの各異なるサブセットのために記通信媒体の少なくとも１つの通信チャネルへのアクセスをその後クリアすることと
をワイヤレス通信のためのデバイスに行わせるコードを備える非一時的コンピュータ可読媒体。
【請求項１６】
前記第１のメッセージが前記予約の持続時間を示し、前記複数のメッセージの各々が前記持続時間内に送信される、請求項１５に記載の媒体。
【請求項１７】
実行されたとき、周期的間隔に従って、前記第１のメッセージを前記送信することと、前記複数のメッセージを前記その後送信することとを繰り返すことを前記デバイスに行わせるコードをさらに備える、請求項１５に記載の媒体。
【請求項１８】
前記送信特性が、送信周波数と、物理レイヤモードと、変調コーディング方式と、同時データストリームの数と、データレートとのうちの少なくとも１つを備える、請求項１５に記載の媒体。
【請求項１９】
前記第１のメッセージが送信可メッセージである、請求項１５に記載の媒体。
【請求項２０】
前記複数のメッセージがコンテンションフリー終了メッセージである、請求項１５に記載の媒体。
【請求項２１】
前記複数のワイヤレスデバイスの各異なるサブセットが、前記複数のワイヤレスデバイスのいずれか他のサブセットに含まれていない前記複数のワイヤレスデバイスのうちの少なくとも１つのワイヤレスデバイスを含む、請求項１５に記載の媒体。
【請求項２２】
送信特性の第１の組み合わせを利用する通信媒体の予約を確立するための第１のメッセージが複数のワイヤレスデバイスによって読取り可能であるように、前記第１のメッセージを生成するための手段と、
前記通信媒体の前記予約をクリアするための複数のメッセージを生成するための手段と、前記複数のメッセージの各々は、前記複数のメッセージの各々が、前記複数のワイヤレスデバイスの異なるサブセットによって読取り可能であるように、前記第１の組み合わせとは異なる送信特性の組み合わせを利用する、
前記第１のメッセージを送信し、それによって、前記通信媒体の前記予約を確立するための手段と、
前記複数のメッセージをその後、送信し、それによって前記複数のワイヤレスデバイスの各異なるサブセットのために前記通信媒体の少なくとも１つの通信チャネルへのアクセスをその後クリアするための手段と
を備える、ワイヤレス通信のためのデバイス。
【請求項２３】
前記第１のメッセージが前記予約の持続時間を示し、前記複数のメッセージをその後、送信するための手段は、前記持続時間内に前記複数のメッセージの各々を送信するように構成される、請求項２２に記載のデバイス。
【請求項２４】
前記第１のメッセージを送信するための手段は、前記第１のメッセージを繰り返して送信するように構成され、前記複数のメッセージをその後、送信するための手段は、周期的間隔に従って前記複数のメッセージを繰り返して送信するように構成される、請求項２２に記載のデバイス。
【請求項２５】
前記送信特性が、送信周波数と、物理レイヤモードと、変調コーディング方式と、同時データストリームの数と、データレートとのうちの少なくとも１つを備える、請求項２２に記載のデバイス。
【請求項２６】
前記第１のメッセージが送信可メッセージである、請求項２２に記載のデバイス。
【請求項２７】
前記複数のメッセージがコンテンションフリー終了メッセージである、請求項２２に記載のデバイス。
【請求項２８】
前記複数のワイヤレスデバイスの各異なるサブセットが、前記複数のワイヤレスデバイスのいずれか他のサブセットに含まれていない前記複数のワイヤレスデバイスのうちの少なくとも１つのワイヤレスデバイスを含む、請求項２２に記載のデバイス。
【手続補正２】
【補正対象書類名】明細書
【補正対象項目名】００７０
【補正方法】変更
【補正の内容】
【００７０】
[0076]上記は本開示の態様を対象とするが、本開示の他の態様およびさらなる態様は、それの基本的範囲から逸脱することなく考案され得、それの範囲は以下の特許請求の範囲によって決定される。
なお、本願の出願当初の請求項と同一の記載を以下に付記する。
［Ｃ１］ 通信媒体を予約するための第１のメッセージが複数のワイヤレスデバイスの少なくとも第１のサブセットによって復号可能であるように、第１の送信特性を利用して前記第１のメッセージを送信することと、
前記通信媒体の予約をクリアするための第２のメッセージが、前記複数のワイヤレスデバイスの少なくとも第２のサブセットによって復号可能であり、前記複数のワイヤレスデバイスの前記第１のサブセットによって復号可能でないように、第２の送信特性を利用して前記第２のメッセージをその後、送信し、それによって前記複数のワイヤレスデバイスの前記第２のサブセットのために少なくとも１つの通信チャネルへのアクセスをクリアすることと
を備える、ワイヤレス通信の方法。
［Ｃ２］ 前記通信媒体の予約をクリアするための少なくとも１つの追加のメッセージを送信し、前記通信媒体の予約をクリアするための前記少なくとも１つの追加のメッセージの各々が、前記複数のワイヤレスデバイスの異なるサブセットによって復号可能であり、前記複数のワイヤレスデバイスの前記第１のサブセットによって復号可能でないように、各々は異なる送信特性をそれぞれが利用し、それによって前記複数のワイヤレスデバイスの前記異なるサブセットの各々のために前記少なくとも１つの通信チャネルへのアクセスを連続的にクリアすることをさらに備え、ここにおいて、前記複数のワイヤレスデバイスの前記異なるサブセットの各々が、前記第１のメッセージを復号することが可能である、Ｃ１に記載の方法。
［Ｃ３］ 前記第１のメッセージが持続時間を有し、前記第２のメッセージが前記持続時間内に送信される、Ｃ１に記載の方法。
［Ｃ４］ 前記少なくとも１つの通信チャネル上での総通信時間の所定の割合が前記複数のワイヤレスデバイスの前記第２のサブセットのために予約されるように、持続時間を設定することをさらに備える、Ｃ１に記載の方法。
［Ｃ５］ 周期的間隔に従って、前記第１のメッセージを前記送信することと、前記第２のメッセージをその後送信することとを繰り返すことをさらに備える、Ｃ１に記載の方法。
［Ｃ６］ 前記第１の送信特性が、第１の送信周波数と、第１の物理レイヤモードと、第１の変調コーディング方式と、同時データストリームの第１の数と、第１のデータレートとのうちの少なくとも１つを備える、Ｃ１に記載の方法。
［Ｃ７］ 前記第２の送信特性が、第２の物理レイヤモードと、第２の変調コーディング方式と、同時データストリームの第２の数と、第２のデータレートとのうちの少なくとも１つである、Ｃ１に記載の方法。
［Ｃ８］ 前記第１のメッセージが送信可メッセージを備える、Ｃ１に記載の方法。
［Ｃ９］ 前記第２のメッセージがコンテンションフリー終了メッセージを備える、Ｃ１に記載の方法。
［Ｃ１０］ 前記通信媒体の予約をクリアするための前記少なくとも１つの追加のメッセージがコンテンションフリー終了メッセージを備える、Ｃ２に記載の方法。
［Ｃ１１］ 前記複数のワイヤレスデバイスの前記第１のサブセットが、前記複数のワイヤレスデバイスの前記第２のサブセットから相互排他的でない、Ｃ１に記載の方法。
［Ｃ１２］ 第１の送信特性を有する通信媒体を予約するための第１のメッセージが複数のワイヤレスデバイスの少なくとも第１のサブセットによって復号可能であるように、前記第１のメッセージを生成するように構成されたプロセッサと、前記プロセッサは、第２の送信特性を有する前記通信媒体の予約をクリアするための第２のメッセージが、前記複数のワイヤレスデバイスの少なくとも第２のサブセットによって復号可能であり、前記複数のワイヤレスデバイスの前記第１のサブセットによって復号可能でないように、前記第２のメッセージを生成するようにさらに構成される、
前記第１のメッセージを送信するように構成された送信機と、前記送信機が、前記第２のメッセージをその後送信し、それによって前記複数のワイヤレスデバイスの前記第２のサブセットのために少なくとも１つの通信チャネルへのアクセスをクリアするようにさらに構成される、
を備える、ワイヤレス通信のためのデバイス。
［Ｃ１３］ 前記プロセッサは、前記通信媒体の予約をクリアするための少なくとも１つの追加のメッセージを生成し、前記通信媒体の予約をクリアするための前記少なくとも１つの追加のメッセージの各々が、前記複数のワイヤレスデバイスの異なるサブセットによって復号可能であり、前記複数のワイヤレスデバイスの前記第１のサブセットによって復号可能でないように、各々は異なる送信特性を利用する、ようにさらに構成され、
前記送信機が、前記通信媒体の予約をクリアするための前記少なくとも１つの追加のメッセージを送信し、それによって前記複数のワイヤレスデバイスの前記異なるサブセットの各々のために前記少なくとも１つの通信チャネルへのアクセスを連続的にクリアするようにさらに構成され、ここにおいて、前記複数のワイヤレスデバイスの前記異なるサブセットの各々が、前記第１のメッセージを復号することが可能である、
Ｃ１２に記載のデバイス。
［Ｃ１４］ 前記第１のメッセージが持続時間を有し、前記送信機が、前記持続時間内に前記第２のメッセージを送信するようにさらに構成された、Ｃ１２に記載のデバイス。
［Ｃ１５］ 前記プロセッサは、前記少なくとも１つの通信チャネル上での総通信時間の所定の割合が前記複数のワイヤレスデバイスの前記第２のサブセットのために予約されるように、前記持続時間を設定するようにさらに構成された、Ｃ１４に記載のデバイス。
［Ｃ１６］ 前記送信機が、周期的間隔に従って、前記第１のメッセージを前記送信することと、前記第２のメッセージをその後送信することとを繰り返すようにさらに構成された、Ｃ１２に記載のデバイス。
［Ｃ１７］ 前記第１の送信特性が、第１の送信周波数と、第１の物理レイヤモードと、第１の変調コーディング方式と、同時データストリームの第１の数と、第１のデータレートとのうちの少なくとも１つを備える、Ｃ１２に記載のデバイス。
［Ｃ１８］ 前記第２の送信特性が、第２の物理レイヤモードと、第２の変調コーディング方式と、同時データストリームの第２の数と、第２のデータレートとのうちの少なくとも１つを備える、Ｃ１２に記載のデバイス。
［Ｃ１９］ 前記第１のメッセージが送信可メッセージを備える、Ｃ１２に記載のデバイス。
［Ｃ２０］ 前記第２のメッセージがコンテンションフリー終了メッセージを備える、Ｃ１２に記載のデバイス。
［Ｃ２１］ 前記通信媒体の予約をクリアするための前記少なくとも１つの追加のメッセージがコンテンションフリー終了メッセージを備える、Ｃ１３に記載のデバイス。
［Ｃ２２］ 前記複数のワイヤレスデバイスの前記第１のサブセットが、前記複数のワイヤレスデバイスの前記第２のサブセットから相互排他的でない、Ｃ１２に記載のデバイス。
［Ｃ２３］ 第１の送信特性を有する通信媒体を予約するための第１のメッセージが複数のワイヤレスデバイスの少なくとも第１のサブセットによって復号可能であるように、前記第１のメッセージを生成するための手段と、
第２の送信特性を有する前記通信媒体の予約をクリアするための第２のメッセージが、前記複数のワイヤレスデバイスの少なくとも第２のサブセットによって復号可能であり、前記複数のワイヤレスデバイスの前記第１のサブセットによって復号可能でないように、前記第２のメッセージを生成するための手段と、
前記第１のメッセージを送信するための手段と、
前記第２のメッセージをその後、送信し、それによって前記複数のワイヤレスデバイスの前記第２のサブセットのために少なくとも１つの通信チャネルへのアクセスをクリアするための手段と
を備える、ワイヤレス通信のためのデバイス。
［Ｃ２４］
前記通信媒体の予約をクリアするための少なくとも１つの追加のメッセージを生成するための手段と、前記少なくとも１つの追加のメッセージの各々が、前記複数のワイヤレスデバイスの異なるサブセットによって復号可能であり、前記複数のワイヤレスデバイスの前記第１のサブセットによって復号可能でないように、各々は異なる送信特性を利用する、
前記通信媒体の予約をクリアするための前記少なくとも１つの追加のメッセージを送信し、それによって前記複数のワイヤレスデバイスの前記異なるサブセットの各々のために前記少なくとも１つの通信チャネルへのアクセスを連続的にクリアするための手段と、ここにおいて、前記複数のワイヤレスデバイスの前記異なるサブセットの各々が、前記第１のメッセージを復号することが可能である、
を備える、Ｃ２３に記載のデバイス。
［Ｃ２５］ 前記第１のメッセージが持続時間を有し、前記第２のメッセージが前記持続時間内に送信される、Ｃ２３に記載のデバイス。
［Ｃ２６］ 前記第１のメッセージを生成するための前記手段は、前記少なくとも１つの通信チャネル上での総通信時間の所定の割合が前記複数のワイヤレスデバイスの前記第２のサブセットのために予約されるように、前記持続時間を設定する、Ｃ２５に記載のデバイス。
［Ｃ２７］ 前記第１のメッセージを前記送信することと、前記第２のメッセージを前記その後送信することとが周期的間隔に従って繰り返される、Ｃ２３に記載のデバイス。
［Ｃ２８］ 前記第１の送信特性が、第１の送信周波数と、第１の物理レイヤモードと、第１の変調コーディング方式と、同時データストリームの第１の数と、第１のデータレートとのうちの少なくとも１つを備える、Ｃ２３に記載のデバイス。
［Ｃ２９］ 前記第２の送信特性が、第２の物理レイヤモードと、第２の変調コーディング方式と、同時データストリームの第２の数と、第２のデータレートとのうちの少なくとも１つを備える、Ｃ２３に記載のデバイス。
［Ｃ３０］ 前記第１のメッセージが送信可メッセージを備える、Ｃ２３に記載のデバイス。
［Ｃ３１］ 前記第２のメッセージがコンテンションフリー終了メッセージを備える、Ｃ２３に記載のデバイス。
［Ｃ３２］ 前記通信媒体の予約をクリアするための前記少なくとも１つの追加のメッセージがコンテンションフリー終了メッセージを備える、Ｃ２４に記載のデバイス。
［Ｃ３３］ 前記複数のワイヤレスデバイスの前記第１のサブセットが、前記複数のワイヤレスデバイスの前記第２のサブセットから相互排他的でない、Ｃ２３に記載のデバイス。
［Ｃ３４］ 実行されたとき、
通信媒体を予約するための第１のメッセージが複数のワイヤレスデバイスの少なくとも第１のサブセットによって復号可能であるように、第１の送信特性を利用して前記第１のメッセージを送信することと、
前記通信媒体の予約をクリアするための第２のメッセージが、前記複数のワイヤレスデバイスの少なくとも第２のサブセットによって復号可能であり、前記複数のワイヤレスデバイスの前記第１のサブセットによって復号可能でないように、第２の送信特性を利用して前記第２のメッセージをその後、送信し、それによって前記複数のワイヤレスデバイスの前記第２のサブセットのために少なくとも１つの通信チャネルへのアクセスをクリアすることと
を装置に行わせるコードを備える非一時的コンピュータ可読媒体。
［Ｃ３５］ 実行されたとき、前記通信媒体の予約をクリアするための少なくとも１つの追加のメッセージを送信し、前記通信媒体の予約をクリアするための前記少なくとも１つの追加のメッセージの各々が、前記複数のワイヤレスデバイスの異なるサブセットによって復号可能であり、前記複数のワイヤレスデバイスの前記第１のサブセットによって復号可能でないように、各々は異なる送信特性を利用し、それによって前記複数のワイヤレスデバイスの前記異なるサブセットの各々のために前記少なくとも１つの通信チャネルへのアクセスを連続的にクリアすることを前記装置に行わせるコードをさらに備え、ここにおいて、前記複数のワイヤレスデバイスの前記異なるサブセットの各々が、前記第１のメッセージを復号することが可能である、Ｃ３４に記載の非一時的コンピュータ可読媒体。
［Ｃ３６］ 前記第１のメッセージが持続時間を有し、前記第２のメッセージが前記持続時間の間に送信される、Ｃ３４に記載の非一時的コンピュータ可読媒体。
［Ｃ３７］ 実行されたとき、前記少なくとも１つの通信チャネル上での総通信時間の所定の割合が前記複数のワイヤレスデバイスの前記第２のサブセットのために予約されるように、持続時間を設定することを前記装置に行わせるコードをさらに備える、Ｃ３５に記載の非一時的コンピュータ可読媒体。
［Ｃ３８］ 実行されたとき、周期的間隔に従って、前記第１のメッセージを前記送信することと、前記第２のメッセージを前記その後送信することとを繰り返すことを前記装置に行わせるコードをさらに備える、Ｃ３４に記載の非一時的コンピュータ可読媒体。
［Ｃ３９］ 前記第１の送信特性が、第１の送信周波数と、第１の物理レイヤモードと、第１の変調コーディング方式と、同時データストリームの第１の数と、第１のデータレートとのうちの少なくとも１つを備える、Ｃ３４に記載の非一時的コンピュータ可読媒体。
［Ｃ４０］ 前記第２の送信特性が、第２の物理レイヤモードと、第２の変調コーディング方式と、同時データストリームの第２の数と、第２のデータレートとのうちの少なくとも１つを備える、Ｃ３４に記載の非一時的コンピュータ可読媒体。
［Ｃ４１］ 前記第１のメッセージが送信可メッセージを備える、Ｃ３４に記載の非一時的コンピュータ可読媒体。
［Ｃ４２］ 前記第２のメッセージがコンテンションフリー終了メッセージを備える、Ｃ３４に記載の非一時的コンピュータ可読媒体。
［Ｃ４３］ 前記通信媒体の予約をクリアするための前記少なくとも１つの追加のメッセージがコンテンションフリー終了メッセージを備える、Ｃ３５に記載の非一時的コンピュータ可読媒体。
［Ｃ４４］ 前記複数のワイヤレスデバイスの前記第１のサブセットが、前記複数のワイヤレスデバイスの前記第２のサブセットから相互排他的でない、Ｃ３４に記載の方法。
【外国語明細書】
2016184939000001.pdf